(57)【要約】【課題】  従来の階段は多数の棒状の手摺子を側桁や段板に立設して手摺を施工するため施工に非常に手間がかかると共に、手摺子の隙間から物を落としたりするおそれがある。【解決手段】  平行四辺形からなる透光性面材と内面側がその四周に嵌合される一対の縦枠材及び横枠材からなり、縦枠材の外面側には相互に嵌合する実部が形成された階段手摺用パネル材を、縦枠材の実部が相互に嵌合するように下枠材を側桁上に並設固定し、上枠材に笠木を固定し側桁と階段手摺用パネル材と笠木とを一体化した階段手摺構造。 【選択図】      図１
2007138563.tif 000002
【特許請求の範囲】
【請求項１】
平行四辺形からなる透光性面材と内面側がその四周に嵌合される一対の縦枠材及び横枠材からなり、縦枠材の外面側には相互に嵌合する実部が形成されていることを特徴とする階段手摺用パネル材。 
【請求項２】
請求項１に記載の複数枚の階段手摺用パネル材を縦枠材の実部が相互に嵌合するように下枠材を側桁上に並設固定し上枠材に笠木を固定することで、側桁と階段手摺用パネル材と笠木とを一体化したことを特徴とする階段手摺用パネル材を用いた階段手摺構造。
【発明の詳細な説明】
【技術分野】
【０００１】
本発明は、採光が得られるように側面に透光性面材を設けた階段を構成するパネル式で施工のし易い階段用パネル部材に関する。
【背景技術】
【０００２】
従来より、いろいろな形状の階段が住宅で使用されているが、階段が暗くならないように片側もしくは両側を開放した階段が一般的に用いられており、開放部は転落を防止するために棒状の手摺子と笠木からなる柵状の手摺が設けられている。
【０００３】
しかし、このような手摺は多数の棒状の手摺子を側桁や段板に立設して手摺を施工するため施工に非常に手間がかかると共に、手摺子の隙間から物を落としたりするおそれがある。
【０００４】
このような問題点を解決するものとして、特開２００５−１１３３９９には、階段の露出側に転落防止のための手摺付き桁が、床面から階上に届くように形成されており、手摺付き桁はささら桁と、手摺と、支持部材と、強化ガラスとを含んで一体的に形成されている手摺付き階段が開示されている。
【特許文献１】特開２００５−１１３３９９
【発明の開示】
【発明が解決しようとする課題】
【０００５】
ところが、このような手摺付き階段では、従来のように多数の棒状の手摺子を側桁や段板に立設する必要がないので手間は減るが、階下から階上まで一体的に形成された手摺付き桁であり大きい部材は施工時の取り回しが大変である。また、１枚物の強化ガラスは非常に重くかえって施工し難い。
【０００６】
本発明は、上記問題点を解決するためになされたもので、その目的は施工性に優れた階段手摺用パネル材を提供し階段の手摺部が簡単に施工できるようにすることにある。
【課題を解決するための手段】
【０００７】
請求項１に係る発明の階段手摺用パネル材は、平行四辺形からなる透光性面材と内面側がその四周に嵌合される一対の縦枠材及び横枠材からなり、縦枠材の外面側には相互に嵌合する実部が形成されていることを特徴とする。
【０００８】
請求項２に係る発明は、請求項１に記載の階段手摺用パネル材を用いた階段手摺構造であり、複数枚の階段手摺用パネル材を縦枠材の実部が相互に嵌合するように下枠材を側桁上に並設固定し上枠材に笠木を固定することで、側桁と階段手摺用パネル材と笠木とを一体化したことを特徴とする。
【発明の効果】
【０００９】
請求項１に係る発明によれば、平行四辺形からなる透光性面材と内面側がその四周に嵌合される一対の縦枠材及び横枠材からなり、縦枠材の外面側には相互に嵌合する実部が形成されているので、簡単な構造の枠材と透光性面材だけで施工し易い適度な大きさのパネルが得られる。部品の種類が少ないために作業性が向上しコストダウンを図ることができる。
【００１０】
請求項２に係る発明によれば、請求項１に記載の階段手摺用パネル材を用いることで簡単に階段手摺構造が得られる。本パネルの下枠材を側桁上に固定すると共に、複数枚のパネルを縦枠材の外面側に設けた実部で相互に嵌合させ並設するだけで手摺が施工でき、さらに、上枠材に笠木を固定することで側桁と階段手摺用パネル材と笠木とが一体化され強固な階段手摺用構造が得られる。また、面材で形成されているので接合部分の隙間や凹凸が少なくできるので清掃性に優れている。
【発明を実施するための最良の形態】
【００１１】
以下、本発明の実施形態を図面に基づいて詳細に説明する。
【００１２】
図１は、本発明の階段手摺用パネル材１で形成された階段Ａの側面図である。本実施形態は、片側が壁面であり片側が開放された空間で本発明の階段手摺用パネル材１によって手摺が形成されている。階段手摺用パネル材１は側桁６に下端部が固定され縦枠材３に形成された実部（３ａ，３ｂ）によって左右に並設され、上端部に笠木５が嵌合固定されて一体化され階段手摺構造が得られる。  
【００１３】
図２及び図５、図３、図４はそれぞれ階段手摺用パネル材１の正面図、Ａ−Ａ線端面図、Ｂ−Ｂ線端面図であり、図２は傾斜部分に用いるパネルであり、図５は２階部分や踊場等の平面部分に用いるパネルである。両者は実部が共通し傾斜部分から平面部分に連続して設けることができる。図６は手摺に嵌め込み固定する笠木５である。
【００１４】
階段手摺用パネル材１は平行四辺形からなる透光性面材４と、内面側に透光性面材４の厚みに相当する幅の溝が設けられ四周に嵌合される一対の縦枠材（３）及び横枠材（２）とで構成される。縦枠材（３）は右枠材（３１）と左枠材（３２）とで一対となり、相互に嵌合できる雄実（３ａ）と雌実（３ｂ）が設けられる。透光性面材４はぶつかっても割れ難いという理由で６ｍｍのポリカーボネート板を使用しているが、他の樹脂板や強化ガラス等も使用場所や物性を考慮して使用することができ厚みや材質は特に限定しない。枠材は集成材を使用しているが、他の木質材やあるいは樹脂や金属製の枠材でも良い。
【００１５】
横枠材（２）は上枠材（２１）と下枠材（２２）とで一対となり、下枠材（２２）は階段の側桁（６）に固定される。固定方法は特に限定しないが、本実施形態では、側桁（６）の上面に下枠材（２２）の幅に相当する溝が設けられ、そこに階段手摺用パネル材１の下枠材（２２）を挿入し、釘、ビス、接着剤等で固定することにより手摺が形成される。最後に長尺の笠木５を上枠材（２１）の上面に嵌め込み接着剤で固定することで、独立したパネル材は側桁と笠木と一体化され強固な階段手摺構造が完成する。笠木５は木質材の表面に合成皮革を貼着したものを使用しているが、木質材をそのまま用いたり、樹脂製や金属製等笠木を用いる等材質や形状は特定しない。
【００１６】
階段手摺用パネル材１は平均的な階段の寸法から計算して１枚の寸法を決定し、工場で枠材と透光性面材を組み立てて完成品にすることで、現場では特に加工することなく組み立てるだけで階段を組み上げることができ、従来階段の施工のように手間がかかることがない。
【００１７】
実際の住宅は現場毎に寸法が異なるので、既製のパネル材を使用しても必ず現場加工で寸法調整を行わなければならない。本発明の階段手摺用パネル材１の場合、透光性面材４と四本の枠材で構成されているので、透光性面材４及び横枠材２を所定寸法に切断して、納め用のパネル材を容易に組み立てることができる。また、縦枠材３は共通して使用できるので、横枠材２について複数の寸法を用意しておくことで部材の在庫を減らしコストダウンを図ることもできる。
【図面の簡単な説明】
【００１８】
【図１】本発明の階段手摺用パネル材で形成された階段Ａの側面図である。
【図２】傾斜部分に使用する階段手摺用パネル材の正面図である。
【図３】階段手摺用パネル材のＡ−Ａ線端面図である。
【図４】階段手摺用パネル材のＢ−Ｂ線端面図である。
【図５】平面部分に使用する階段手摺用パネル材の正面図である。
【図６】手摺に嵌め込み固定する笠木の斜視図である。
【符号の説明】
【００１９】
Ａ…階段
１…階段手摺用パネル材
２…横枠材
３…縦枠材
４…透光性面材
５…笠木
【図１】
2007138563.tif 000003
【図２】
2007138563.tif 000004
【図３】
2007138563.tif 000005
【図４】
2007138563.tif 000006
【図５】
2007138563.tif 000007
【図６】
2007138563.tif 000008